(57)【要約】【課題】 カメラ付き携帯電話機の外部接続端子に装置を取り付け、付属カメラのシャッターを、装置付属のセンサおよび他の携帯電話機からの呼び出しなどにより、遠隔的に操作し、撮った画像を携帯電話機のメールで携帯電話機の登録先メールアドレスに送信することを目的とする。【解決手段】 本発明は上記目的を達成するために、音・一定の音域、・光・赤外線・温度・人の動作・体温を捕らえるセンサでの検知手段と着信信号に応答する手段を備え、携帯電話機ボタン操作を自動的に行う指令発生手段を持った装置で、自動的にカメラのシャッターを操作し、その画像をメール送信できるように構成したものである。【選択図】  図２
2006246308.tif 000002
【特許請求の範囲】
【請求項１】
カメラ付き携帯電話機の外部接続端子に接続する操作指令発生装置であって、音・一定の音域、・光・赤外線・温度・人の動作・体温を捕らえるセンサでの検知手段及び、携帯電話機の着信音、又は着信振動の検知手段により、その携帯電話機の付属カメラで写真を撮り画像を記憶する操作を自動的に行う指令発生手段を持ち、携帯電話機との接続手段を備えたことを特徴とする装置。
【請求項２】
請求項１記載の装置を取り付けたカメラ付き携帯電話機の着信検知手段により、携帯電話機を通話状態にし、その音声に含まれるDTMＦ信号を文字情報に生成する手段と、その生成された文字情報と装置設定文字情報の比較手段と、その比較の結果が一致したときに、携帯電話機の付属カメラで写真を撮り画像を記憶する操作を自動的に行う指令発生手段を備えたことを特徴とする装置。
【請求項３】
請求項１または２のいずれかに記載の装置を取り付けたカメラ付き携帯電話機の付属カメラで撮影した画像を、携帯電話機でメールするために、携帯電話機に登録したメール先に送信する操作を自動的に行う指令発生手段を備えたことを特徴とする装置。
【発明の詳細な説明】
【技術分野】
【０００１】
本発明は、カメラ付き携帯電話機で写真を撮るために、検知センサの反応により自動的にシャッター操作をさせるための携帯電話機に付属させる自動シャッター操作指令発生装置に関するものである。
【背景技術】
【０００２】
最近の携帯電話機は音声通話のみならず多様な機能が組み込まれ、付属しているカメラを操作し写真を撮り記憶し、またインターネット接続機能で画像をメール貼付で送受信できるようになっており利用方法が多様化し便利になっています。更に、特開２００３−１８２５４号公報には着信信号に応答し、その後受信される特定の信号に基づいて、それぞれ自動的に付属カメラのシャッターが操作できる機能を内蔵した携帯電話機が提案されている、また特開２００３−２６４６１６号公報にも着信時、あらかじめ設定された電話番号と一致したときに、レリーズ操作を行う携帯電話機も提案されている、また特開２００２−５０９９９号公報にはカメラ付き携帯電話機をリモコン装置で遠隔操作を可能にした携帯電話機システムが提案されている。
【特許文献１】特開２００３−１８２５４号公報
【特許文献２】特開２００３−２６４６１６号公報
【特許文献３】特開２００２−５０９９９号公報
【発明の開示】
【発明が解決しようとする課題】
【０００３】
しかしながら、それらの提案は携帯電話機に機能を内蔵するものや、リモコン装置で遠隔操作するものについてであり、広く出荷されている製品には当てはまらないし、当然検知センサの反応で携帯電話機付属カメラのシャッターが操作できる機能は無い。本発明はすでに発売されているカメラ付き携帯電話機に付属させる装置を提供することを目的とする。
【０００４】
本発明は、このような従来の問題を解決するものであり、自動シャッター操作指令発生装置に組み込まれた検知センサの反応、又は携帯電話機の着信で、電話機のボタンを自動擬似操作し、携帯電話機付属のカメラで写真を撮り記憶し、撮った画像をメールで登録先のメールアドレスに送信することができるのを目的とするものである。
【課題を解決するための手段】
【０００５】
上記目的を達成するため請求項１記載の発明は、制御部に携帯電話機のシャッター操作を行うボタン操作擬似信号を発生する指令発生手段を持ち、尚且つ音・一定の音域、・光・赤外線・温度・人の動作・体温を捕らえるセンサでの検知手段も備え、携帯電話機とは接続手段のインターフェースを介して接続される。
【０００６】
かかる構成とすることによって、カメラ付き携帯電話機の外部接続端子に自動シャッター操作指令発生装置を接続して検知センサが動いたときに自動で写真を撮ることが可能となる。
【０００７】
また携帯電話機の着信振動やイヤホン音声出力又は、外部接続端子音声出力による着信の検知手段により、同様に写真を撮ることが可能となる。
【０００８】
請求項２記載の発明は、音声信号に含まれるDTMF信号をデジタルデータに変換する手段のDTMF信号処理部と、制御部でそのデータを文字情報に生成する手段と、その生成された文字情報と装置にあらかじめ設定された文字情報を比較する手段を備える。
【０００９】
かかる構成とすることによって、着信音により携帯電話機を通話状態にし、その音声に含まれるDTMF信号による文字情報と装置にあらかじめ設定された文字情報の一致により自動で写真を撮るので、他人からの着信で意図しない写真を撮ることを防ぐことが可能となる。
【００１０】
請求項３記載の発明は、携帯電話機のインターネット接続機能で画像をメール貼付で送信するボタン操作擬似信号を発生する指令発生手段も制御部に持ち、請求項１記載の検知手段を備える。
【００１１】
かかる構成とすることによって、音・一定の音域、・光・赤外線・温度・人の動作・体温を捕らえるセンサでの検知手段及び電話機の着信検知、その音声に含まれるDTMF信号による文字情報とあらかじめ設定された文字情報の一致により、写真を撮り、その画像をメールに貼付して、携帯電話機でその登録先のメールアドレスに送信することが可能となる。
【発明の効果】
【００１２】
幅広く普及しているカメラ付き携帯電話機の付属カメラを利用して、検知センサの反応で写真を撮り、その画像をメールに貼付し送ることができるので簡易なセキュリティシステムを構築することができる。
【００１３】
さらに着信でも写真を撮り、その画像をメールに貼付し送ることができるので自由に遠方の状態を画像で確認できる、写真を撮ることのみにすれば、もう一台の携帯電話機で電話を掛ければシャッターを操作する人含めて集合写真が撮れ便利である。
【００１４】
また携帯電話機としての使用契約を解除したカメラ付き携帯電話機の付属カメラを検知センサの反応でシャッター操作し画像を保存できるので簡易な防犯用に使用できれば資源の有効利用でもある。
【発明を実施するための最良の形態】
【００１５】
以下、本発明の実施の形態について図面を参照しながら説明する。
【００１６】
図１は携帯電話機の外部接続端子が１６芯コネクタの場合の例です、外部接続端子の上がりシリアル信号６は図２の自動シャッター操作信号発生装置２０からの携帯電話機操作用シリアル信号の接続端子です、外部接続端子の下がりシリアル信号７は携帯電話機の状態を自動シャッター操作信号発生装置２０が読み出すための接続端子です、外部接続端子の受信音声信号１０は携帯電話機からの着信用の音声信号で自動シャッター操作信号発生装置２０のA/D１０３につながる接続端子です。これら外部接続端子の機能を有効にするために外部接続端子の携帯機操作部制御信号１：１２，携帯機操作部制御信号２：１３を外部接続端子のシリアル信号用接地１に接続します。
【００１７】
また図１の外部接続端子の充電端子８は携帯電話機のバッテリ充電用です、本発明の装置の電源を乾電池電池駆動にして充電回路付加することにより緊急時の携帯電話機のバッテリを充電する構成もできる。
【００１８】
図２は自動シャッター操作指令発生装置の一実施の形態を示す概略構成図である、自動シャッター操作指令発生装置２０は、携帯電話機３０との組み合わせに都合の良いコンパクトな大きさと形状で、外部コネクタ１０６で携帯電話機の外部接続端子３４に接続し、自動シャッター操作指令発生装置２０から携帯電話機に操作信号３２が伝わり、携帯電話機から自動シャッター操作指令発生装置２０に音声信号３３が伝わる。
【００１９】
さらに図２の自動シャッター操作指令発生装置２０の構成図では検知センサ１０１はセンサが人体検知の例であり、アンプ１０２は検知センサ１０１を増幅するものです、A/D１０３はそのアナログ信号と携帯電話機からの着信用の音声信号を制御部１０４に取り込むためにデジタル信号に変換します。インターフェース１０５は制御部１０４の携帯電話操作擬似信号をシリアル信号に変換し、外部コネクタ１０６を通じて携帯電話機に送ります、ＤＴＭＦ信号処理部１０７は携帯電話機のDTMF信号をデジタルデータに変換し制御部１０４に送ります。制御部１０４はCPU、ROM、RAM、I/Oを１チップで構成しROMには一連の操作擬似信号手順を記憶しています。携帯電話機のスイッチ付きイヤホンマイク３５は自動シャッター操作指令発生装置２０の制御部１０４に接続され実施例５で使用を説明しています。
【実施例１】
【００２０】
図３のフローチャートに示すように、自動シャッター操作指令発生装置の検知センサが人体検知の例で、センサが人体検知したときの処理の内容で、検知がON（S２００：YES）になると図４で詳細を説明するシャッター処理（S２０１）が行われ写真を撮り、その画像が携帯電話機に記憶される。
【００２１】
図４のフローチャートは図３、５、６のシャッター処理（S２０１、S４０１、S５０３）の詳細で、まずコマンドボタンを押す操作擬似信号（S３００）を携帯電話機に送信すると電話機の動作はメニュー画面になります、次に下矢印（カーソル）ボタン操作擬似信号（S３０１）、続いて左矢印ボタン操作擬似信号（S３０２）を送信します、これで携帯電話機の付属カメラを選択します、次にコマンドボタン操作擬似信号（S３０３）を送信します付属カメラの使用をこれで確定します。次にまたコマンドボタン操作擬似信号（S３０４）を送信しますとカメラのシャッターを押したことになります、次にコマンドボタン操作擬似信号（S３０５）を送信します、撮った画像をこの信号で記憶します。最後に終了ボタン操作擬似信号（S３０６）を２回送信します、これで携帯電話機は待機状態になります。
【実施例２】
【００２２】
図５のフローチャートに示すように、自動シャッター操作指令発生装置が携帯電話機の着信を検知したときの処理の内容で、着信検知がON（S４００：YES）になると図４で詳細を説明したシャッター処理（S４０１）が行われ写真を撮り、その画像が携帯電話機に記憶される。
【実施例３】
【００２３】
図６のフローチャートに示すように、着信を検知し（S５００：YES）開始ボタン操作擬似信号で通話したときに（S５０１）、その音声に含まれるDTMF信号による文字情報と装置にあらかじめ設定された製造番号又は識別番号の文字情報の一致により（S５０２：YES）、図４で詳細を説明したシャッター処理（S５０３）が行われ写真を撮り、その画像が携帯電話機に記憶される、尚文字情報の不一致（S５０２：NO）の場合はシャッター処理（S５０３）を行いません。
【実施例４】
【００２４】
図７のフローチャートに示すように、信号検知によりシャッター操作で撮った写真の画像をメールに貼付して送信する場合で、検知がON（S６００：YES）になると写真を撮りその画像をメールに貼付し図８−１、２、３で詳細を説明する送信処理（S６０１）が行われ登録メール先に写真の画像が送られる。
【００２５】
図８−１のフローチャートは、図７のメールに貼付し送信処理（S６０１）の詳細で、メール機能で貼付用の写真を撮りますので、まずコマンドボタンを押す操作擬似信号（S７００）を携帯電話機に送信します、次に右矢印（カーソル）ボタン操作擬似信号（S７０１）、続いてコマンドボタン操作擬似信号（S７０２）を送信します、これで携帯電話機のメール機能を確定します、次に下矢印ボタン操作擬似信号（S７０３）を３回送信しますメールの貼付項目を示します、次にコマンドボタン操作擬似信号（S７０４）を送信します貼付項目をこれで確定します。次に下矢印ボタン操作擬似信号（S７０５）を２回送信しますと付属カメラを選択します、次にコマンドボタン操作擬似信号（S７０６）を送信しますと付属カメラの使用を確定します、次にコマンドボタン操作擬似信号（S７０７）を送信しますとシャッター操作になります、次にコマンドボタン操作擬似信号（S７０８）を送信しますと画像を記憶します。以降はメール処理です、上矢印ボタン操作擬似信号（S７０９）を３回送信しますとメール作成の宛先項目を示します。
【００２６】
図８−２のフローチャートは上に続いて、次にコマンドボタン操作擬似信号（S７１０）を送信しますと宛先入力選択のアドレス呼出を示します、次にコマンドボタン操作擬似信号（S７１１）でアドレス呼び出しを確定します、次にコマンドボタン操作擬似信号（S７１２）でア行の先頭登録メール先を示すのでコマンドボタン操作擬似信号（S７１３）で先頭メール先を選択します、次にソフトキー２操作擬似信号（S７１４）でメール先を確定します。これでまたメール作成に戻ります、次にコマンドボタン操作擬似信号（S７１５）を送信しますと題名入力になります、例としてダイヤルボタン「１」操作擬似信号（S７１６）を送信しますと文字  あ  が入力されます、コマンドボタン操作擬似信号（S７１７）を送信で題名を確定します、次にコマンドボタン操作擬似信号（S７１８）を送信してメール作成に戻ります。コマンドボタン操作擬似信号（S７１９）を送信で本文入力になります、
【００２７】
図８−３のフローチャートは上に続いて、例としてダイヤルボタン「９」操作擬似信号（S７２０）を送信しますと文字  ら  が入力されます、コマンドボタン操作擬似信号（S７２１）を送信で本文を確定します、次にコマンドボタン操作擬似信号（S７２２）を送信でまたメール作成に戻ります、次にソフトキー２操作擬似信号（S７２３）送信でｉショット（株式会社ＮＴＴドコモの登録商標）送信を示して、コマンドボタン操作擬似信号（S７２４）を送信しますとメールを宛先に送信します。最後に終了ボタン操作擬似信号（S７２５）３回で待機状態にします。
【実施例５】
【００２８】
図９のフローチャートに示すように、図２の携帯電話機のスイッチ付イヤホンマイク３５を自動シャッター操作指令発生装置に接続し、音・一定の音域、・光・赤外線・温度・人の動作・体温を捕らえるセンサで検知（S８００：YES）したときに、実施例１とは異なりイヤホンマイクのスイッチをON（S８０１）した例で、携帯電話機のイヤホン発信登録に登録した相手に自動発信します。緊急時に一刻も早く携帯電話機と自動シャッター操作指令発生装置を設置した場所の状況知りたい場合、音による確認（S８０２）ができるので、早急に対応が可能となる。そしてさらに画像で確認したい場合には、一度電話を切断（S８０３）し再び呼び出しを行えば実施例２、３、４に説明の手段で写真を撮り、その画像をメールで確認することができる。
【００２９】
これらのフローチャートで引用したボタン操作例の携帯電話機は株式会社ＮＴＴドコモの商品ムーバP５０５isで説明しています、これら一連の動作は携帯電話機の機種により異なりますので機種選択スイッチでボタン操作擬似信号の内容を変えます。
【００３０】
以上の構成で有れば、既存のカメラ付き携帯電話機に自動シャッター操作指令発生装置を取り付け無人の室内にセンサライトと共に設置してあれば、もう１台の持ち歩いている携帯電話機から昼夜問わず監視することが容易に可能である。
【図面の簡単な説明】
【００３１】
【図１】携帯電話機外部接続端子（１６芯コネクタ）。
【図２】自動シャッター操作指令発生装置概略構成図。
【図３】実施例１の形態を説明する主な動作のフローチャート図。
【図４】実施例１のシャッター処理を説明する主な動作のフローチャート図。
【図５】実施例２の形態を説明する主な動作のフローチャート図。
【図６】実施例３の形態を説明する主な動作のフローチャート図。
【図７】実施例４の形態を説明する主な動作のフローチャート図。
【図８−１】実施例４のシャッター及びメール処理を説明する主な動作のフローチャート図−１。
【図８−２】実施例４のシャッター及びメール処理を説明する主な動作のフローチャート図−２。
【図８−３】実施例４のシャッター及びメール処理を説明する主な動作のフローチャート図−３。
【図９】実施例５の形態を説明する主な動作のフローチャート図。
【符号の説明】
【００３２】
１  シリアル信号用接地
２  送信音声信号
３  送受信信号用接地
６  上がりシリアル信号
７  下がりシリアル信号
８  充電用端子
９  シリアル信号用接地
１０  受信音声信号
１２  携帯機操作部制御信号１
１３  携帯機操作部制御信号２
２０            自動シャッター操作指令発生装置
３０            携帯電話機
３１  付属カメラ
３２            操作信号
３３  音声信号
３４  外部接続端子
３５  スイッチ付きイヤホンマイク
１０１  検知センサ
１０２  アンプ
１０３  Ａ／Ｄ
１０４  制御部
１０５  インターフェース
１０６  外部コネクタ
１０７  ＤＴＭＦ信号処理部
【図１】
2006246308.tif 000003
【図２】
2006246308.tif 000004
【図３】
2006246308.tif 000005
【図４】
2006246308.tif 000006
【図５】
2006246308.tif 000007
【図６】
2006246308.tif 000008
【図７】
2006246308.tif 000009
【図８−１】
2006246308.tif 000010
【図８−２】
2006246308.tif 000011
【図８−３】
2006246308.tif 000012
【図９】
2006246308.tif 000013